(57)【要約】【課題】  従来のジグソーパズルは、所要の絵柄や写真を印刷した印刷板を不規則な形状に型抜き分離した複数個のピースを組み合わせて構成され、ジグソーパズルは、その販売時には、ジグソーパズルを構成する上記複数個のピースを全て分離した状態にして袋詰めしたものをさらに包装箱で包装しており、遊戯する者は、開封後、上記各ピースを適宜組み立てることによって元の絵柄や写真が現れたパズル板を復元するものである。【解決手段】  ジグソーパズルに不必要なピースを同梱させ、ピースの数が少なくても難易度を上げることができるジグソーパズルを提供、又、各ジグソーパズルに袋詰めされたピースに含まれた不必要なピースを集めて嵌め合わせ、非売品ジグソーパズルが完成出来るという楽しみをも提供し得るジグソーパズルの提供を特徴とする。【選択図】図１
2011115528.tif 000002
【特許請求の範囲】
【請求項１】
多数のピースを所定の位置に嵌め合わせて所定の絵柄を形成するジグソーパズルであって、
前記絵柄を形成するに必要な複数のピースと、
前記絵柄を形成するに不必要な少なくとも１ピースと、
が梱包されたことを特徴とするジグソーパズル。
【請求項２】
前記不必要なピースは前記所定の絵柄とは異なる第２の絵柄を形成する非売品ジグソーパズルの一部を構成することを特徴とする請求項１に記載のジグソーパズル。
【請求項３】
一つのテーマでジグソーパネルをシリーズ化するジグソーパズルシリーズのうちの１つのジグソーパズルであって、前記不必要なピースは前記ジグソーパズルシリーズを構成する各ジグソーパズルに含まれる不必要なピースにより形成される前記ジグソーパズルシリーズに関係する絵柄を形成するに必要なピースであることを特徴とする請求項１に記載のジグソーパズル。
【請求項４】
前記不必要なピースの材質は金属、樹脂、パルプ、高分子化合物、または無機質物質であることを特徴とする請求項１ないし請求項３のいずれかに記載のジグソーパズル。
【発明の詳細な説明】
【技術分野】
【０００１】  本発明は、ピースを組み合わせて図柄や写真等を復元するジグソーパズルに関する。
【背景技術】
【０００２】  従来のジグソーパズルのパズル板は、所要の絵柄や写真を印刷した印刷板を不規則な形状に型抜き分離した複数個のピースを組み合わせて構成され、ジグソーパズルは、その販売時には、パズル板を構成する上記複数個のピースを全て分離した状態にして袋詰めしたものをさらに包装箱で包装しており、遊戯する者は、開封後、上記各ピースを適宜組み立てることによって元の絵柄や写真が現れたパズル板を復元するものである（例えば、特許文献１参照。）。
【先行技術文献】
【特許文献】
【０００３】
【特許文献１】  実用新案登録第３１２５４９４号公報
【発明の概要】
【発明が解決しようとする課題】
【０００４】  しかしながら、一般的なジグソーパズルで難易度を上げるためには、ピースの数を多く、白地部分を多く、透明部分を多く、絵柄を大きく、単色の部分を多くおよびピース自体を小さくしなければならず、ピースの数が膨大となり、完成品のサイズも大きくなってしまうという不都合がある。また、従来のジグソーパズルは、袋詰めされたピースを適宜組み立てることによって元の絵柄や写真をパズル板に復元すれば完成であった。【０００５】  本発明は、上記問題を解決し、ピースの数が少なくても難易度を上げることができるジグソーパズルを提供することを目的とする。又、本発明は各ジグソーパズルに袋詰めされたピースに含まれた不必要なピースを集めて嵌め合わせ、非売品ジグソーパズルが完成出来るという楽しみをも提供し得るジグソーパズルを提供することを目的とする。
【課題を解決するための手段】
【０００６】  上記目的を達成するために、本発明は多数のピースを所定の位置に嵌め合わせて所定の絵柄を形成するジグソーパズルであって、前記絵柄を形成するに必要な複数のピースと、前記絵柄を形成するに不必要な少なくとも１ピースと、が梱包されたことを特徴とするジグソーパズルを提供する。【０００７】  また、本発明のジグソーパズルにおいて、前記不必要なピースは前記所定の絵柄とは異なる第２の絵柄を形成する非売品ジグソーパズルの一部を構成してもよい。【０００８】  また、本発明のジグソーパズルにおいては、一つのテーマでジグソーパネルをシリーズ化するジグソーパズルシリーズのうちの１つのジグソーパズルにおいて、前記不必要なピースは前記ジグソーパズルシリーズを構成する各ジグソーパズルに含まれる不必要なピースにより形成される前記ジグソーパズルシリーズに関係する絵柄を形成するに必要なピースであってもよい。【０００９】  また、本発明のジグソーパズルにおいて、前記不必要なピースの材質は金属、樹脂、パルプ、高分子化合物、または無機質物質であってもよい。【００１０】  上記課題解決手段による作用は次の通りである。従来のジグソーパズルはピースが過不足無く梱包されていて、全てのピースを用いてパズルを組み立てれば完成することが出来るが、不必要なピースが梱包されているためにパズル組み立ての難易度が上がる。
【発明の効果】
【００１１】  本発明のジグソーパズルによれば、所定の絵柄を形成するのに不必要なピースがあることでパズル組み立ての難易度が上がるとともに、各ジグソーパズルに含まれる不必要なピースを集めて非売品ジグソーパズルが入手出来る楽しみが増すジグソーパズルを提供することが可能となる。
【図面の簡単な説明】
【００１２】
【図１】  本発明の一実施形態の構成を示すジグソーパズルの平面図である。
【図２】  本発明による非売品ジグソーパズルの一実施形態を示す平面図である。
【図３】  本発明の一実施形態の台紙を示す斜視図である。
【図４】  本発明の一実施形態のピースを示す平面図である。
【図５】  市販ジグソーパズルシリーズと本発明による非売品ジグソーパズルの一実施形態を示す平面図である。
【発明を実施するための形態】
【００１３】  図１は本発明の一実施形態の構成を示すジグソーパズルの平面図である。ジグソーパズル１は、凹部状に形成された開口部３と縁４が設けられた台紙２と、開口部３に嵌め込まれるピース群Ａ１〜Ａ６４により構成されている。そして、前記ジグソーパズル１の所定の絵柄の完成に不必要な非売品ジグソーパズル５のピースＢ４５と、前記ジグソーパズル１および前記非売品ジグソーパズル５の所定の絵柄の完成に不必要なピースＣ１とが同梱されている。ピース群Ａ１〜Ａ６４の個々の表面には開口部３に嵌め込まれ、組み立てたときに、例えば、所定の絵柄（例えば、図柄、絵、写真、文字（列）、数字（列）、記号など）が完成するように、それらの一部が印刷などにより形成されている。図１に示すピース群Ａ１〜Ａ６４の個々の表面には開口部３に嵌め込まれ、組み立てたときに、富士山の絵が完成するようになっている。
なお、前記ジグソーパズル１の所定の絵柄の完成に不必要なピースは必ずしも非売品ジグソーパズル５のピースである必要はなく、前記ジグソーパズル１の所定の絵柄の完成に不必要であればどのようなものであってもよい。また、前記ジグソーパズル１の所定の絵柄の完成に不必要なピースの数は各ジグソーパズルにつき１つである必要はなく、その数が増えれば増えるほど難易度を上げることができるとともに、非売品ジグソーパズルとの関係でいえばこのような不必要なピースを含むジグソーパズルの数が比較的少なくとも非売品ジグソーパズルの規模を大きく（ピース数を多く）することができる。
【００１４】  図２は本発明による非売品ジグソーパズルの一実施形態を示す平面図である。非売品ジグソーパズル５のピース群Ｂ１〜Ｂ６４はジグソーパズル１のようなジグソーパズルに不必要なピースとして同梱されているものである。このように当該パズルにとって本来不必要なピースを含むジグソーパズルを複数購入することで（例えば所定のシリーズとして買い揃えたり、同一メーカのジグソーパズルで特定のシリーズとは関係なく複数のジグソーパズルを購入したり、複数メーカ間の一定の協力の下でのメーカの枠を超えての複数のジグソーパズルを購入したりすることで）これらに同梱されたピースが集められ、非売品ジグソーパズル５を完成することができるようになっている。図２に示す例においては、ピース群Ｂ１〜Ｂ６４を集めて組み立てたときに、「一富士、二鷹、三茄子」の絵が完成する。
【００１５】  図３は本発明の一実施形態の台紙を示す斜視図である。台紙２は、平板状の底板６と、開口部３および縁４が形成された枠体７の貼り合わせとなっている。
【００１６】  図４は本発明の一実施形態のピースを示す平面図である。パズルに用いられるピースは、本実施例では、略正方形の辺部８から外側に半円形状を突出させた形状の凸部９、または、略正方形の辺部８から内側に半円形状を切り欠いた形状の凹部１０の少なくともいずれかを備えている。開口部３の四隅に配置されるピースは図４（Ａ）に代表されるように２個の辺部８と凹部１０と凸部９が各１個、または、図１に示されている２個の辺部８と２個の凹部１０、または、２個の辺部８と２個の凸部９を備えている。開口部３の四隅間の４辺に配置されるピースは図４（Ｂ）に代表されるように１個の辺部８と２個の凹部１０と１個の凸部９、または、図１に示されている１個の辺部８と１個の凹部１０と２個の凸部９、または、１個の辺部８と３個の凹部１０、または、１個の辺部８と３個の凸部９を備えている。前記以外に配置されるピースは図４（Ｃ）に代表されるように辺部８が無く、凹部１０と凸部９が組み合わされた状態を備えている。
【００１７】  ジグソーパズル１を組み立て始める場合、まず、ピース群Ａ１〜Ａ６４の内、台紙２の開口部３の四隅に配置されるピースＡ１、Ａ８、Ａ５７およびＡ６４を探して、これらを該当する四隅に並べ、次に、ピース群Ａ１〜Ａ６４の内、開口部３の４辺に配置されるピースＡ２〜Ａ７、Ａ９、Ａ１６、Ａ１７、Ａ２４、Ａ２５、Ａ３２、Ａ３３、Ａ４０、Ａ４１、Ａ４８、Ａ４９、Ａ５６、Ａ５８〜Ａ６３を探して、これらの辺部８、凹部１０、凸部９および絵柄を手がかりに配置して組み立てるのが一般的である。あとは凹部１０、凸部９および絵柄を手がかりに根気よく配置していくが、本発明によると、ジグソーパズル１の組み立てに不必要な、非売品ジグソーパズル５を構成するピース群Ｂ１〜Ｂ６４の内のピースＢ４５が１個同梱されていて、このピースＢ４５と同じ形をしたピースＡ２１、Ａ３０およびＡ３８がジグソーパズル１にあるために、ジグソーパズル１の組み立ての困難度が増すことになる。
又、前記ジグソーパズル１および前記非売品ジグソーパズル５の組み立てにも不必要な、ピースＣ１が１個同梱されていて、このピースＣ１と同じ形をしたピースＡ２３、Ａ４２およびＡ５３がジグソーパズル１にあるために、ジグソーパズル１の組み立ての困難度がさらに増すことになる。
【００１８】  ジグソーパズル１の組み立てに不必要な非売品ジグソーパズル５を構成するピース群Ｂ１〜Ｂ６４の内、ピースＢ４５が１個同梱されて困難度が増すが、さらにジグソーパズル１の組み立てに不必要な非売品ジグソーパズル５を構成するピース群Ｂ１〜Ｂ６４のいずれかの内、ピースＢ４５以外のピースをジグソーパズル１に複数同梱することにより、困難度がさらに増すことになる。
【００１９】  シリーズ化されたジグソーパズル、例えば、株式会社エンスカイより市販されている「駅名  山手線（外回り）駅名標パズル第一弾」および「駅名  山手線（外回り）駅名標パズル第二弾」は図５（Ａ）駅名標「東京」１１および（Ｂ）駅名標「ゆうらくちょう」１２に代表されるように絵柄が駅名標のため、非常に似た絵柄のピースが沢山あるので、このジグソーパズルに不必要なピースが同梱されていた場合、ジグソーパズル組み立てが非常に困難となるが、シリーズの全ての駅名標パズルを完成させると、シリーズに同梱された不必要なピースが揃い非売品ジグソーパズルが完成すると言う楽しみも併せ持つ。
なお、このとき非売品ジグソーパズルにより形成される絵柄は同シリーズに関係する絵柄、例えば、図５（Ｃ）駅名標「Ｔｏｋｙｏ」１３となるようにしてもよい。
【００２０】  上記説明において、ピース群の数を６４個で説明してきたが、実際に市販されているジグソーパズルにおいて、ピース群の数と完成所要時間の目安（株式会社エンスカイホームページより）はピース群の数１０８個で１時間、ピース群の数３００個で２〜３時間、ピース群の数５００個で５時間、ピース群の数１０００個で１０時間以上とされているので、不必要なピースが数個有ることでジグソーパズルの組み立てが困難度を増すことは明らかである。また、不必要なピースを集めていくことにより、これらのピースで何が出来るか想像することにより楽しさも増す。不必要なピースの材質が金属、樹脂、パルプ、高分子化合物、無機質物質であり、これらの表面に絵柄や写真が印刷または描かれて、絵柄や写真が同一でも材質が異なるピースが存在することになると、同じ材質のピースでジグソーパズルを完成させたいと思うため、マニア間でのピースの交換、または、交換サイトの発生も生じてくる。
【符号の説明】
【００２１】    １  ジグソーパズル、２  台紙、３  開口部、４  縁、５非売品ジグソーパズル、６底板、７  枠体、８  辺部、９凸部、１０  凹部、
１１  駅名標「東京」、１２  駅名標「ゆうらくちょう」、１３  駅名標「Ｔｏｋｙｏ」Ａ１〜Ａ６４  ピース群、Ｂ１〜Ｂ６４  ピース群、Ｃ１  ピース
【図１】
2011115528.tif 000003
【図２】
2011115528.tif 000004
【図３】
2011115528.tif 000005
【図４】
2011115528.tif 000006
【図５】
2011115528.tif 000007